(57)【要約】    【課題】この発明は、ケーブル結線性を向上させるとともに、結線工程を低減させるようにした電気コネクタを提供する。      【解決手段】ケーブルと接続される半田付け部１１ｂを有する導電端子１１と、該導電端子１１を配設したハウジング２とを少なくとも有する電気コネクタ１０において、導電端子１１の半田付け部１１ｂに半田を溜める半田溜め部２０を形成するようにした。    【選択図】  図１
2006086028.tif 000002
【特許請求の範囲】
【請求項１】
ケーブルと半田付け接続される半田付け部を有する導電端子と、該導電端子を配設した絶縁体のハウジングとを少なくとも有する電気コネクタにおいて、
前記導電端子の半田付け部に半田を溜める半田溜め部を形成するようにしたことを特徴とする電気コネクタ。
【請求項２】
前記半田溜め部は半田を溜める孔からなることを特徴とする請求項１に記載の電気コネクタ。
【請求項３】
前記半田溜め部は半田を溜める穴からなることを特徴とする請求項１に記載の電気コネクタ。
【請求項４】
前記半田溜め部は半田を溜める切り欠からなることを特徴とする請求項１に記載の電気コネクタ。
【請求項５】
前記半田溜め部は半田を溜める溝からなることを特徴とする請求項１に記載の電気コネクタ。
【請求項６】
前記半田溜め部は半田を溜める孔からなり、前記ハウジングには該孔内に溜まっている半田を押し上げる突起が突設されていることを特徴とする請求項１に記載の電気コネクタ。
【発明の詳細な説明】
【技術分野】
【０００１】
この発明は、ケーブルとケーブル、あるいはケーブルと印刷配線基板等を電気的に接続するケーブル接続用の電気コネクタに関し、特にケーブルと接続される電気コネクタの導電端子の改良に関する。
【背景技術】
【０００２】
従来から、ケーブルとケーブル、あるいはケーブルと印刷配線基板等を接続する電気コネクタとしては各種のものが使用されているが、電気コネクタに配設された導電端子とケーブルとの電気的接続は半田付けにより行なわれている。  
図１５は従来の電気コネクタ１を示す要部断面図で、特に図示せぬリセプタクルに嵌着してケーブルを電気的に接続するプラグを示している。
【０００３】
この電気コネクタ１は、プラスチック等の合成樹脂で形成された絶縁体のハウジング２と、このハウジング２内に図面の垂直方向へ向け所定のピッチで配設された複数本の導電端子３とから構成され、この導電端子３は、図面の垂直方向へ向け所定のピッチで互いに隣接するよう形成されたハウジング２の収容凹部４内にそれぞれ配設されている。    
この導電端子３は、図示せぬリセプタクルの対応する導電端子と圧接して電気的に接続する接続部３ａと後述するケーブルと半田付けされる半田付け部３ｂとから構成されている。
【０００４】
一方、この電気コネクタ１の収容凹部４内には、前記導電端子３の半田付け部３ｂをその底面４ａから上方へ一定距離離間させる円柱形状の突起４ｂが一体に形成され、この突起４ｂにより、導電端子３の半田付け部３ｂは水平に支持されている。また、この導電端子３には、接続部３ａと半田付け部３ｂとの間に下方へ折れ曲がる湾曲部３ｃが形成されている。
【０００５】
また、前記収容凹部４を形成する壁体４ｃには、突起４ｂと対向する位置に切り欠４ｄが形成されている。
【０００６】
そして、従来、ケーブルと上述した導電端子３とを半田付けする場合、例えば図１６で示すように、所定のピッチで配設された複数本の同軸ケーブルからなるケーブル本体６の各中心導体６ａと、対応する導電端子３の半田付け部３ｂとを半田付けする場合は、図１５で示すように、複数本の導電端子３の各半田付け部３ｂの上面に、当該各上面を跨ぐように一本の半田バー５を配設する。
【０００７】
その後、図１６で示すように、複数本の同軸ケーブルからなるケーブル本体６の各中心導体６ａを対応する各導電端子３の半田付け部３ｂの上面に配設された半田バー５上に配設し、図示せぬパルスヒートのヒータチップにより複数本の中心導体６ａと、これに対応する複数本の導電端子３の各半田付け部３ｂとを一括して半田付けして接続する。なおオペレータによる手半田により一本づつ半田付けして接続する場合もある。
【発明の開示】
【発明が解決しようとする課題】
【０００８】
ところで、上述した従来の電気コネクタ１によると、図１６で示すように、ケーブル本体６の同軸ケーブル６ａを半田バー５上に配置するとき、当該半田バー５が位置ずれを起す場合がある。このように半田バー５に位置ずれが発生し、そのままの状態で半田付け作業を継続した場合は隣接する各導電端子３間で短絡が発生する虞があり、これを阻止するためには、再び半田バー５及び同軸ケーブル６ａを配置し直さなければならない等の面倒なリワーク工程が必要となる難点がある。
【０００９】
また、半田バー５を用いて半田付けすると、隣接する各導電端子３の半田付け部３ｂ間で半田を奪いあうこととなり、各半田付け部３ｂごとに接続に必要なハンダ量を十分確保することができず、そのためケーブルと導電端子との間の接続ミスが発生し、ケーブル結線性が低下する難点もある。
【００１０】
なお、各導電端子３の半田付け部３ｂに予め半田を溜めておくとしても、従来の如く単なる平板形状の導電端子３では接続に十分な半田量を溜めておくことができない。
【００１１】
この発明は、上述した事情に鑑み、ケーブル結線性を向上させるとともに、結線工程を低減させるようにした電気コネクタを提供することを目的とする。
【課題を解決するための手段】
【００１２】
上述した課題を解決するため、この発明では、ケーブルと半田付け接続される半田付け部を有する導電端子と、該導電端子を配設した絶縁体のハウジングとを少なくとも有する電気コネクタにおいて、前記導電端子の半田付け部に半田を溜める半田溜め部を形成するようにしている。
【発明の効果】
【００１３】
上述した、本願発明の電気コネクタによると、導電端子の半田付け部に半田溜め部が形成され、この半田溜め部に一定量の半田が予め蓄えられているため、半田バーが不要となって、これを配設する工程が不要となるばかりでなく、接続の際に半田バーの位置ずれを修正する工程も不要となるので、ケーブルの結線工程を大幅に削減することができる。また、半田バーの位置ずれがないため、各導電端子間の短絡もなくなり、このため優れた結線性を有する電気コネクタを提供することができる。また半田溜め部により、各導電端子への半田供給量が一定であるためケーブルとの結線ミスが低減し、結線信頼性の極めて高い電気コネクタを提供することができる。  
【発明を実施するための最良の形態】
【００１４】
以下、この発明に係る電気コネクタの一実施例を詳述する。
【００１５】
図１はこの発明に係る電気コネクタ１０を示す要部破断概念斜視図で、図１５及び図１６と同一部分を同一符号で示す。
【００１６】
この電気コネクタ１０も図示せぬリセプタクルに嵌着してケーブルを電気的に接続するプラグタイプのコネクタである。
【００１７】
この電気コネクタ１０も、従来と同様にプラスチック等の合成樹脂で形成された絶縁体のハウジング２と、このハウジング２の幅方向に沿って所定のピッチで配設された複数本の導電端子１１とから構成されている。
【００１８】
また、この各導電端子１１は、ハウジング２の幅方向に沿って所定のピッチで互いに隣接するよう形成された収容凹部４内にそれぞれ位置決め配設されている。    
この導電端子１１も従来と同様に図示せぬリセプタクルの対応する導電端子と圧接して電気的に接続する接続部１１ａと後述するケーブルと半田付けされる半田付け部１１ｂとから構成されている。
【００１９】
なお、実施例でも接続部１１ａと半田付け部１１ｂとの間に下方へ折れ曲がる湾曲部１１ｃが形成されている。
【００２０】
一方、この導電端子１１の半田付け部１１ｂには、一定量の半田を溜めておく半田溜め部２０が形成されている。
【００２１】
この半田溜め部２０は、半田付け部１１ｂの要部破断拡大斜視図で示す図２のように円形の孔２１により構成され、図３で示すように、この孔２１内には接続に必要で十分な量の半田３０が予め溜められて収容されている。
【００２２】
次に上述した電気コネクタ１０の作用を説明する。
【００２３】
図１の拡大断面図で示す図４のように、ハウジング２の各収容凹部４内に対応する各導電端子１１が配設されると、半田付け部１１ｂに形成された孔２１からなる半田溜め部２０の半田３０は、円柱形状の突起４ｂの先端４ｅ上に位置決めされる。
【００２４】
その後、図５で示すように、ケーブル本体６の各中心導体６ａを対応する導電端子１１の半田付け部１１ｂに形成された半田溜め部２０に載置し、図６で示すように、パルスヒートのヒータチップ４０を下降させ、同時に複数本の中心導体６ａを対応する半田溜め部２０に押圧する。
【００２５】
すると、当該半田溜め部２０に収容された半田３０が溶融し、かつ半田溜め部２０の円形の孔２１内に進入する円柱形状の突起４ｂにより当該半田３０が中心導体６ａ側に押し出されるので、各導電端子１１の半田付け部１１ｂと対応する各中心導体６ａとは十分な半田量により一括して半田付けされて確実に接続されることとなる。なお、この場合オペレータによる手半田により一本づつ半田付けして接続するようにしても勿論かまわないし、その場合でも十分な半田量により半田付けされて確実に接続されることとなる。
【００２６】
なお、上記実施例では各導電端子１１を収容するハウジング２の収容凹部４内に突起４ｂを突設し、この突起４ｂにより、半田溜め部２０の半田３０を押し出すようにしたが、この発明は上記実施例に限定されることなく、ハウジング２の収容凹部４内に突起４ｂを突設ないものにも勿論適用することができる。
【００２７】
即ち、図４と同一部分を同一符号で示す図７のように、突起のない収容凹部４の底面４ａに導電端子１１の半田付け部１１ｂを密着配置し、その後、ケーブル本体６の各中心導体６ａを対応する導電端子１１の半田付け部１１ｂに形成された半田溜め部２０上に載置する。
【００２８】
その後、図８，図９で示すように、パルスヒートのヒータチップ４０を下降させ、同時に複数本の中心導体６ａを対応する半田溜め部２０に押圧する。
【００２９】
この場合でも、当該半田溜め部２０に収容された半田３０が溶融し、かつ溶融した半田３０が毛細管現象により中心導体６ａへ移動するので、各導電端子１１の半田付け部１１ｂと対応する各中心導体６ａとは十分な半田量により一括して半田付けされて確実に接続されることとなる。なお、この場合もオペレータによる手半田により一本づつ半田付けして接続するようにしても勿論かまわないし、その場合でも十分な半田量により半田付けされて確実に接続されることとなる。
【００３０】
なお、上記実施例では、半田溜め部２０を図２で示すように、円形の孔２１により構成したが、この発明は上記実施例に限定されることなく、円形以外の例えば矩形状、あるいは多角形状の孔でも良く、また図２と同一部分を同一符号で示す図１０のように、半田溜め部２０を半田付け部１１ｂの長手方向に沿って形成された一本乃至は複数本の切り欠５０により形成しても良く、また図１１に示すように、半田付け部１１ｂの幅方向に沿って形成された一本乃至は複数本の切り欠５１により形成しても良い。
【００３１】
さらに、この発明では、半田溜め部２０は、図２と同一部分を同一符号で示す図１２で示すように、半田付け部１１ｂの幅方向に沿って形成された一本乃至は複数本の溝５２でも良く、また図１３で示すように、半田溜め部２０は、半田付け部１１ｂの長手方向に沿って形成された一本乃至は複数本の溝状の穴５３から構成しても良く、さらには図１４で示すように、半田溜め部２０は、半田付け部１１ｂの幅方向に沿って形成された一本乃至は複数本の溝状の穴５４から構成するようにしても良い。これらの各形状の切り欠５０，５１，溝５２、穴５３，５４から構成された半田留め部２０でも、当該半田溜め部２０に収容された半田３０がヒータチップ等で溶融すると、その溶融した半田３０は毛細管現象により中心導体６ａ側に移動するので、各導電端子１１の半田付け部１１ｂと対応する各中心導体６ａとは十分な半田量により半田付けされて確実に接続されることとなる。  
【産業上の利用可能性】
【００３２】
以上説明したように、この発明は、ケーブル結線性を向上させるとともに、結線工程を大幅に低減させるようにした電気コネクタに適している。
【図面の簡単な説明】
【００３３】
【図１】図１はこの発明に係る電気コネクタの要部破断概念斜視図。
【図２】図２は半田溜め部を示す導電端子の要部破断概念斜視図。
【図３】図３は半田溜め部を示す導電端子の要部破断概念斜視図。
【図４】図４は図１の要部拡大断面図。
【図５】図５はケーブルとの接続状態を示す電気コネクタの要部断面図。
【図６】図６はケーブルとの接続状態を示す電気コネクタの要部断面図。
【図７】図７は他の実施例によるケーブルとの接続状態を示す電気コネクタの要部断面図。
【図８】図８は他の実施例によるケーブルとの接続状態を示す電気コネクタの要部断面図。
【図９】図９は他の実施例によるケーブルとの接続状態を示す電気コネクタの要部断面図。
【図１０】図１０は半田溜め部の他の実施例を示す導電端子の要部破断斜視図。
【図１１】図１１は半田溜め部の他の実施例を示す導電端子の要部破断斜視図。
【図１２】図１２は半田溜め部の他の実施例を示す導電端子の要部破断斜視図。
【図１３】図１３は半田溜め部の他の実施例を示す導電端子の要部破断斜視図。
【図１４】図１４は半田溜め部の他の実施例を示す導電端子の要部破断斜視図。
【図１５】図１５は従来の電気コネクタの要部断面図。
【図１６】図１６は従来の電気コネクタの要部断面図。
【符号の説明】
【００３４】
２…ハウジング
６…ケーブル
４ｂ…突起
１０…電気コネクタ
１１ｂ…半田付け部
１１…導電端子
２０…半田溜め部
２１…孔
５０，５１…切り欠
５２…溝
５３，５４…穴
【図１】
2006086028.tif 000003
【図２】
2006086028.tif 000004
【図３】
2006086028.tif 000005
【図４】
2006086028.tif 000006
【図５】
2006086028.tif 000007
【図６】
2006086028.tif 000008
【図７】
2006086028.tif 000009
【図８】
2006086028.tif 000010
【図９】
2006086028.tif 000011
【図１０】
2006086028.tif 000012
【図１１】
2006086028.tif 000013
【図１２】
2006086028.tif 000014
【図１３】
2006086028.tif 000015
【図１４】
2006086028.tif 000016
【図１５】
2006086028.tif 000017
【図１６】
2006086028.tif 000018